(57)【要約】      （修正有）【課題】アプリケータ部材を、取外し可能なものとしつつも、デバイス上に安定的に保持し得ること。【解決手段】アプリケータデバイスが、−塗布表面２を有したアプリケータ部材３と、−開口６を通して、アプリケータ部材の第１パート４を挿通させる第１部材７と、−アプリケータ部材の第２パート１４を受領する凹所１５を形成している第２部材９と、を備え、第１部材が、第２部材に対して、ヒンジ８を介して連結され、これにより、第１部材が、第２部材に対して、第２パートが不動化されている第１状態と、アプリケータ部材が着脱可能とされた第２状態と、の間にわたって移行可能とされ、デバイスが、容器を選択的に閉塞するための手段を具備している。【選択図】図２
2006075607.tif 000002
【特許請求の範囲】
【請求項１】
特に化粧用製品といったような製品をパッケージングするとともに塗布するためのデバイスであって、
−前記製品を収容している容器（２２）と；
−アプリケータデバイス（１）と；
を具備し、
前記アプリケータデバイス（１）が、
−前記製品の塗布に適した塗布表面（２）を有しかつ前記容器に対する流体連通状態に配置可能とされたアプリケータ部材（３）と、
−開口（６）を有した第１部材（７）であるとともに、前記開口（６）を通して、前記アプリケータ部材のうちの、前記塗布表面（２）を有した第１パート（４）を挿通させ、これにより、前記塗布表面（２）を、前記開口（６）の第１側面（５）を超えて突出させるような、第１部材（７）と、
−前記アプリケータ部材のうちの、前記開口の前記第１側面とは反対側に位置した第２側面（１２）を超えて延在する第２パート（１４）を、内部に受領し得るよう構成された凹所（１５）を形成している第２部材（９）と、
を備え、
前記第１部材が、前記第２部材に対して、回転軸（Ｙ）回りに回転可能に構成されたヒンジ（８）を介して連結され、これにより、前記第１部材が、前記第２部材に対して、前記第２パートが前記第１部材と前記第２部材との間において不動化されている第１状態と、前記アプリケータ部材が着脱可能とされた第２状態と、の間にわたって移行可能とされ、
このようなデバイスにおいて、
前記デバイスが、前記容器を選択的に閉塞するための手段（７，９，６０）を具備していることを特徴とするデバイス。
【請求項２】
請求項１記載のデバイスにおいて、
前記デバイスが、前記製品の塗布に適した前記第１状態に前記第１部材および前記第２部材を解除可能にロックするための手段（１１，１１ａ，１１ｂ，４５，４６）を具備していることを特徴とするデバイス。
【請求項３】
請求項１または２記載のデバイスにおいて、
前記第１部材が、スナップ作用によって、前記第２部材の対応突起に対して協働し得る突起（１１ａ，１１ｂ）を備えていることを特徴とするデバイス。
【請求項４】
請求項１〜３のいずれか１項に記載のデバイスにおいて、
前記第１部材および前記第２部材が、一体的なものとされ、一体部材として形成されていることを特徴とするデバイス。
【請求項５】
請求項１〜４のいずれか１項に記載のデバイスにおいて、
前記ヒンジが、フィルムヒンジとして構成されていることを特徴とするデバイス。
【請求項６】
請求項１〜５のいずれか１項に記載のデバイスにおいて、
前記回転軸が、前記第１部材の前記開口の前記第２側面によって規定される表面に対して、平行なものとされていることを特徴とするデバイス。
【請求項７】
請求項１〜６のいずれか１項に記載のデバイスにおいて、
前記ヒンジが、スプリング作用を有したヒンジ（１６）として構成されていることを特徴とするデバイス。
【請求項８】
請求項１〜７のいずれか１項に記載のデバイスにおいて、
前記アプリケータ部材が、少なくとも部分的に多孔性材料から形成されていることを特徴とするデバイス。
【請求項９】
請求項１〜８のいずれか１項に記載のデバイスにおいて、
前記アプリケータ部材が、少なくとも部分的に弾性変形可能な材料から形成されていることを特徴とするデバイス。
【請求項１０】
請求項１〜９のいずれか１項に記載のデバイスにおいて、
前記第１部材および前記第２部材の少なくとも一方に対して一体化された把持手段（１７）を具備していることを特徴とするデバイス。
【請求項１１】
請求項１〜１０のいずれか１項に記載のデバイスにおいて、
前記デバイスが、前記アプリケータ部材が前記第１部材および前記第２部材の間において不動化されている際には前記アプリケータ部材を密封的に封入するためのキャップ（６０）を具備していることを特徴とするデバイス。
【請求項１２】
請求項１〜１１のいずれか１項に記載のデバイスにおいて、
前記第１部材が、前記容器上に前記デバイスを取り付けるための手段（２０，２１）を備え、
前記デバイスが、前記アプリケータ部材に対するアクセスが不可能とされた状態でかつ前記アプリケータ部材が前記製品に対して流体連通状態とされた状態で、前記容器を閉塞することができることを特徴とするデバイス。
【請求項１３】
請求項１〜１１のいずれか１項に記載のデバイスにおいて、
前記第２部材が、前記容器上に前記デバイスを取り付けるための手段（３８，３９）を備え、
前記第２部材が、前記アプリケータ部材の前記第２パートを受領し得る前記凹所（１５）と、前記容器と、の間の流体連通を確立するための開口（３６）を備えていることを特徴とするデバイス。
【請求項１４】
請求項１〜１３のいずれか１項に記載されたデバイスの使用方法であって、
特に液体やゲルやクリームの形態とされた化粧用製品、とりわけ、マニキュア液リムーバやメークアップリムーバや調色ローションや抗菌組成物や皮膚処理組成物といったような化粧用製品、の塗布に際して使用することを特徴とする使用方法。
【発明の詳細な説明】
【技術分野】
【０００１】
本発明は、特に化粧用製品といったような製品を、パッケージングするとともに塗布するためのデバイスを開示するものであって、このデバイスは、好ましくは、着脱可能なアプリケータ部材を備えている。
【背景技術】
【０００２】
米国特許第４，７５８，２１７号明細書には、公知のアプリケータ部材が開示されており、このアプリケータ部材は、加圧容器上に配置し得るよう構成されており、これにより、この加圧容器から放出された製品を、アプリケータ部材の塗布表面上へと直接的に受領し得るものとされている。
【０００３】
すべてのタイプの製品アプリケータデバイスにおいては、特に、化粧用製品の塗布のためのすべてのタイプの製品アプリケータデバイスにおいては、アプリケータ部材は、繰返し使用によって、劣化が起こり得る。この場合、使用済みのアプリケータ部材を容易に取り外し得ることが望ましく、それによって、アプリケータ部材を洗浄したり、あるいは、交換したり、することができる。これにより、デバイスの使用に悪影響をもたらすことがなくなる。
【０００４】
さらに、場合によっては、使用者は、異なるタイプのアプリケータ部材の使用を好むことがある。特に、製品を塗布使用する領域に応じたような、異なる塗布表面を有したアプリケータ部材の使用を好むことがある。
【０００５】
米国特許第５，３２２，３８２号明細書には、皮膚上にローションを塗布するための公知デバイスが開示されている。このデバイスは、スポンジの形態とされたアプリケータ部材を備えており、アプリケータ部材は、接着層によって覆われており、これにより、デバイスのホルダ上に着脱可能に固定し得るものとされている。
【０００６】
スポンジは、より一般的には、接着層によるコーティングを要するようなすべてのアプリケータ部材は、塗布対象製品と、使用されている接着剤と、の間の適合性という問題点を引き起こす。さらに、ホルダからアプリケータ部材を取り外すことが必要となったときには、接着剤の痕跡が、ホルダ上に残ってしまい、これにより、ホルダに対してのアプリケータ部材の次なる接着を適切に行えなくなる。アプリケータ部材を複数回にわたって交換した後には、アプリケータ部材の接着力が弱くなってしまうことにより、製品の塗布最中に外れてしまう傾向が生じ、使用者の衣服を汚してしまうリスクが発生する。また、発泡体を洗浄する目的で使用者が発泡体を取り外そうとした場合には、洗浄作用によって、接着剤が洗い流される傾向がある。アプリケータ部材を固定するに際しては、使用者自身が、ホルダに対するアプリケータ部材の再取付のために、アプリケータ部材に対して接着剤を塗布する必要がある。したがって、このデバイスは、専用の接着剤を備蓄しておく必要があることのために、コスト高のものとなる。
【０００７】
現在の技術においては、また、欧州特許出願公開第１，３０４，０５７号明細書に、公知のアプリケータデバイスが開示されている。このデバイスにおいては、このデバイスのホルダに対して、アプリケータ部材が、磁気力を使用して、着脱可能に固定されている。
【０００８】
このようなデバイスは、また、構造が複雑であって製造がコスト高となってしまうという問題点を引き起こす。実際、各アプリケータ部材は、着脱可能でありかつ場合によっては使い捨て可能なものではあるけれども、デバイスの一部に配置された磁石と、デバイスの対応部分に配置された他の磁石と、を備えなければならない。
【０００９】
また、米国特許第６，２５４，２９４号明細書には、パッケージングと塗布とを行う公知デバイスが開示されている。このデバイスは、製品容器を備えており、この製品容器に対して、着脱可能なアプリケータ部材を取り付け得るようになっている。この目的のために、アプリケータ部材は、チューブ状部材の端部に存在するアプリケータチップを備えており、これにより、容器のチューブ状チャネル上に位置決めして取り付け得るようになっている。チューブ状部材は、チューブ状チャネル上に挿入され、チューブ状キャリアとチューブ状チャネルとの間の摩擦力によってしか保持されていない。
【００１０】
このようなデバイスは、また、チューブ状チャネルからアプリケータ部材が不用意に外れてしまうという重大なリスクが存在するという問題点を引き起こす。実際、アプリケータ部材を通して製品を絞り出す目的で、容器に、変形可能な側壁が設けられている場合には、この絞り出し操作は、取出開口からアプリケータ部材を取り外してしまう傾向がある。さらに、チップが皮膚に対して適用された場合、接触力が、チューブ状チャネルに対してのチューブ状部材の相対位置を変化させてしまう傾向がある。これにより、摩擦力が変化し、不用意な取外しを誘起する。いずれの場合においても、塗布時には、アプリケータが使用者を汚してしまうというリスクが存在する。最後に、このようなデバイスは、アプリケータチップが塗布後に使い捨て可能なものとして構成されている場合であってさえも、皮膚に対して塗布し得るよう構成されたアプリケータチップがチューブ状ホルダと一体化されていなければならないことのために、製造がコスト高となってしまう。
【特許文献１】米国特許第４，７５８，２１７号明細書
【特許文献２】米国特許第５，３２２，３８２号明細書
【特許文献３】欧州特許出願公開第１，３０４，０５７号明細書
【特許文献４】米国特許第６，２５４，２９４号明細書
【発明の開示】
【課題を解決するための手段】
【００１１】
よって、本発明の１つの目的は、従来技術における欠点を有していないデバイスを提供することであり、アプリケータ部材を、取外し可能なものとしつつも、デバイス上に安定的に保持し得ることである。
【００１２】
本発明の格別の目的は、互いに異なる複数のアプリケータ部材を使用可能とし得るようなそのようなデバイスを提供することである。
【００１３】
本発明の他の目的は、アプリケータ部材が容易に取外し可能とされているような、なおかつ、他のアプリケータ部材またはその同じアプリケータ部材を容易に取付可能とされているような、アプリケータデバイスを提供することである。
【００１４】
本発明の他の目的は、アプリケータ部材を複数回にわたって取り外した後においても機能性が劣化しないようなアプリケータデバイスを提供することである。
【００１５】
本発明のさらなる目的は、単純なものでありかつ安価に製造できるようなそのようなデバイスを提供することである。
【００１６】
本発明は、特に化粧用製品といったような製品をパッケージングするとともに塗布するためのデバイスであって、
−製品を収容している容器と；
−アプリケータデバイスと；
を具備し、
アプリケータデバイスが、
−製品の塗布に適した塗布表面を有しかつ容器に対する流体連通状態に配置可能とされたアプリケータ部材と、
−開口を有した第１部材であるとともに、開口を通して、アプリケータ部材のうちの、塗布表面を有した第１パートを挿通させ、これにより、塗布表面を、開口の第１側面を超えて突出させるような、第１部材と、
−アプリケータ部材のうちの、開口の第１側面とは反対側に位置した第２側面を超えて延在する第２パートを、内部に受領し得るよう構成された凹所を形成している第２部材と、
を備え、
第１部材が、第２部材に対して、回転軸Ｙ回りに回転可能に構成されたヒンジを介して連結され、これにより、第１部材が、第２部材に対して、第２パートが第１部材と第２部材との間において不動化されている第１状態と、アプリケータ部材が着脱可能とされた第２状態と、の間にわたって移行可能とされ、
このようなデバイスにおいて、
デバイスが、容器を選択的に閉塞するための手段を具備していることを特徴とするデバイスを開示する。
【００１７】
有利には、デバイスは、製品の塗布に適した第１状態に第１部材および第２部材を解除可能にロックする（すなわち、可逆的にロックする）ための手段を具備する。
【００１８】
好ましくは、第１部材は、スナップ作用によって、第２部材の対応突起に対して協働し得る突起を備えている。これにより、例えば、ロック手段を構成することができる。
【００１９】
特別の実施形態においては、第１部材は、第２部材に形成された対応凹所に係合する２つの突起を備え、これにより、ヒンジを形成することができる。
【００２０】
好ましくは、第１部材および第２部材は、一体的なものとされ、一体部材として形成される。好ましくは、特に後者の場合、ヒンジは、フィルムヒンジとして構成される。すなわち、両部材間に形成された弾性変形可能材料製ブリッジとして構成される。
【００２１】
特に、回転軸は、第１部材の開口の第２側面によって規定される表面に対して、平行なものとされる。
【００２２】
好ましくは、ヒンジは、スプリング作用を有したヒンジとして構成され、これにより、第１状態から第２状態への移行、および、第２状態から第１状態への移行を、容易なものとすることができる。
【００２３】
有利には、アプリケータ部材は、少なくとも部分的に多孔性材料から形成される。よって、毛細管作用によって、所定量の製品を採取し得るとともに、塗布時には製品を解放することができる。あるいは、アプリケータ部材が少なくとも部分的に弾性変形可能な材料から形成されている場合には、使用者がアプリケータ部材に対して単に圧力を印加することによって、所定量の製品を採取することができる。
【００２４】
好ましくは、デバイスは、アプリケータ部材が第１部材および第２部材の間において不動化されている際にはアプリケータ部材を密封的に封入するためのキャップを具備している。よって、使用しない時には、アプリケータ部材を、いかなる汚れからも保護することができる。このキャップは、例えばクリップ止めや螺着によって、第１部材上におよび／または第２部材上に、保持され得るように構成することができる。
【００２５】
特に、そのようなデバイスの操作を容易とするために、デバイスは、第１部材および第２部材の少なくとも一方に対して一体化された把持手段を具備することができる。
【００２６】
代替可能な実施形態においては、第１部材は、容器上にデバイスを取り付けるための手段を備え、デバイスは、アプリケータ部材に対するアクセスが不可能とされた状態でかつアプリケータ部材が製品に対して流体連通状態とされた状態で、容器を閉塞することができる。
【００２７】
他の実施形態においては、第２部材は、容器上にデバイスを取り付けるための手段を備え、第２部材は、アプリケータ部材の第２パートを受領し得る凹所と、容器と、の間の流体連通を確立するための開口を備えている。
【００２８】
特に、本発明によるデバイスは、容器とアプリケータ部材との間の連通を、選択的に行い得る手段、あるいは、恒久的に行い得る手段、を備えることができる。
【００２９】
本発明は、また、本発明によるデバイスの使用方法に関するものであり、特に液体やゲルやクリームの形態とされた化粧用製品、とりわけ、マニキュア液リムーバやメークアップリムーバや調色ローションや抗菌組成物や皮膚処理組成物といったような化粧用製品、の塗布に際して使用する。変形例においては、本発明によるデバイスは、また、一房の毛髪に対して毛髪用製品を塗布するに際して、使用することができる。
【発明を実施するための最良の形態】
【００３０】
本発明は、添付図面を参照しつつ以下の説明を読むことにより、明瞭に理解されるであろう。以下の説明は、本発明を何ら限定するものではなく単なる例示として与えられる。
【００３１】
図１は、容器（図示せず）上に取り付けられ得るよう構成された本発明によるデバイス１を、使用状態と称されるような第１状態でもって、示している。実際、アプリケータ部材３の塗布表面２は、デバイス１の外側アウトラインを超えて突出している。このアプリケータ部材３のうちの、塗布表面２を構成している第１パート４は、デバイス１の第１部材７内に形成された開口６の第１側面５から突出している。図１においては、第１側面５は、デバイス１の外側アウトラインの一部を形成している。特に、第１側面５は、第１パート４を囲んでいる。
【００３２】
第１部材７は、デバイス１の第２部材９に対して、ヒンジ８を介して、連結されている。好ましくは、このヒンジ８は、回転軸Ｙ回りに回転可能とされている。図１に示す使用状態においては、第２部材９は、第１部材７に重ね合わせるようにして取り付けられている。この場合、ヒンジ８は、『閉』状態であるものと考えられる。それは、２つの部材７，９が、第１部材７によって形成された開口６のアウトラインと、第２部材９と、の間に、アプリケータ部材３を不動化しているからである。
【００３３】
好ましくは、この使用状態は、例えばスナップ動作によるものといったような、可逆的ロック手段１１によって、維持される。例えば、デバイス１に対しては、ヒンジ８とは径方向反対側のところにおいて、そのような可逆的ロック手段１１が設置される。例えば、ロック手段１１は、第１部材７から突出したタブ１１ａを備えている。このタブ１１ａは、第２部材９に形成された対応開口１１ｂ内へと、嵌入的に挿入され得るよう構成されている。タブの設置と対応開口の設置とは、互いに逆のものとすることもできる。
【００３４】
使用状態においては、アプリケータ部材３は、不動とされている。実際、アプリケータ部材３は、第１側面５とは反対側に位置した第２側面１２を通してしか、開口６からは取り出せないように、構成されている。使用状態においては、第２側面１２は、ロック手段１１によって、第２部材９の底部１０の上面１３に対向して維持されている。第２側面１２は、図２の断面図に示すように、使用状態において、実際にアクセス不可能とされている。図２は、長手方向断面図を示している。つまり、第１部材７の第１側面５のところにおいて開口６が形成する平面に対して直交するような横断平面による図である。
【００３５】
アプリケータ部材３を着脱可能に取り外すに際して、第２側面１２に対してアクセスを行うためには、第１部材７を、第２部材９に対して、軸Ｙ回りに回転させなければならない。これにより、第１部材７および第２部材９は、使用状態から、『開放』状態と称される第２状態へと、移行する。
【００３６】
実際、アプリケータ部材３は、第２側面１２と上面１３との間に第２パート１４が保持され得るように、あるいは場合によっては、第２側面１２と上面１３との間において可能であれば押圧されつつ第２パート１４が保持され得るように、構成されている。実際、上面１３は、フラットなものではなく、好ましくは、段付の形状とされている。これにより、第２部材９は、この上面１３の凹所内に第２パート１４を受領し得るような座１５を形成している。
【００３７】
座１５は、開口６がなす横断面よりも実質的に大きな横断面を形成しており、第２パート１４も、また、開口６がなす横断面よりも大きな横断面を有するように構成されている。よって、この第２パート１４は、第２側面１２上において開口６がなすアウトラインと、座１５と、の間に、保持されている。
【００３８】
開口６は、好ましくは、第１パート４の任意の横断面積と比較して、より大きな横断面積を有している。よって、アプリケータ部材３は、困難さを伴うことなく、第１部材７から、第２側面１２の側から、取り外すことができる。その際、第１パート４は、摩擦を伴うことなく、開口６を通過することができる。これに代えて、第１パート４は、開口６がなす横断面積よりも大きな横断面積を有した少なくとも一部を有することができる。これにより、アプリケータ部材３を、使用状態において、より安定的に保持することができる。
【００３９】
例えばアプリケータ部材３の交換のために、デバイス１からアプリケータ部材３を取り外すためには、まず最初に、両部材７，９を、ヒンジ８回りに回転させることによって、図３に示すような『開放』状態とする必要がある。開放状態においては、第２側面１２は、もはや、上面１３に対して対向していない。よって、例えば指によって、圧力Ｐを印加することにより、塗布表面２上において第１パート４を押し上げることができ、これにより、開口６を通して第１パート４を通過させることができ、第２側面１２から突出させることができる。
【００４０】
理論的には、両部材７，９の間に形成された角度が、例えば６０°といったような所定角度となった時点から、アプリケータ部材３を取り外すことができるようになる。しかしながら、ヒンジ８に対してスプリング作用手段が付設されている実施形態においては、移行途中において不安定な角度位置が存在することのために、アプリケータ部材３の操作は、両部材が安定的な角度位置となったときに、例えば図３に示す実施形態のように上面１３と第２側面１２との間の角度が１８０°となったときに、行われる。
【００４１】
使用状態から開放状態への移行を容易なものとし得るよう、第１部材７は、把持手段１７を備えている。把持手段１７は、デバイス１の操作を容易なものとし得るよう構成されている。この把持手段１７は、例えば、デバイス１の外側アウトラインを超えて突出した突起を形成しており、好ましくは、ヒンジ８に対して径方向反対側に位置した領域に配置されている。
【００４２】
好ましくは、両部材７，９のうちの一方だけが、そのような突起を有しており、他方の部材は、使用者の手の中に保持され得るよう構成される。使用者は、片手で突起１７を把持し、回転操作によって両部材を離間させる。
【００４３】
好ましくは、第１部材７および第２部材９は、熱可塑性材料の一体射出成型によって得られる。その場合、両部材は、好ましくは、図３に示すような開放状態でもって射出成型され、ここで、ヒンジ８は、第１部材７と第２部材９との間にわたっての材料ブリッジによって、形成されている。この材料ブリッジは、長手方向のどこかにおいて少なくとも１つの脆弱化領域すなわちフィルムヒンジを有している。このフィルムヒンジ回りにおいて、回転移動を行うことができる。ヒンジ８のスプリング作用手段１６は、例えば、図４に示すように、２つの材料ブリッジによって形成される。これら材料ブリッジは、ヒンジ８の両サイドに配置された弾性的連結ストリップ１６ａ，１６ｂを形成する。
【００４４】
『スプリング作用ヒンジ』という用語は、使用状態と開放状態との間の中間的状態において、最大の弾性歪み（引っ張りまたは圧縮のいずれかに関して）を受け得るよう構成された少なくとも１つの弾性的連結ストリップを備えたヒンジを意味している。弾性ストリップは、使用状態から開放状態へと移行する際に両部材に対する各取付ポイントどうしの間の距離が可変であるようにして、両部材の各々に対して取り付けられている。ストリップは、本来的な弾性を有しており、使用状態と開放状態との間において不安定な平衡状態を形成することができる。
【００４５】
２つの部材を形成するために使用するのに適した材料には、限定するものではないけれども、ポリプロピレンのホモポリマーやコポリマーや、ポリエチレンのホモポリマーやコポリマーがあり、特に、高密度のまたは中密度のポリエチレンがある。２つの部材は、また、二重射出成型することができる。
【００４６】
図４に示す実施形態においては、ロック手段１１は、図１および図３に示すロック手段とは相違している。この場合のロック手段は、２つの部材７，９の各々の外側アウトラインを超えて突出する２つのタブという形態とされ、一方のタブは、好ましくは双方のタブは、対応部材のタブ上へとスナップ留めし得るようなボスとされる。あるいは、複数のボスは、ロック操作をもたらし得るよう、互いに直接的に協働し得るものとして、構成することができる。
【００４７】
例えば、第１部材７および第２部材９は、それぞれ、実質的にシリンダ形状を有している。このため、使用状態においては、これら両部材が互いに重ね合わされて、シリンダ形状を形成する。例えば、２つの部材の重ね合わせによって形成されたシリンダ形状は、正方形横断面のもの、あるいは、楕円形横断面のもの、あるいは、多角形横断面のもの、とされる。その場合、ヒンジ８は、２つの部材によって形成されたシリンダ形状の側壁表面上に形成される。
【００４８】
第１側面５は、例えば実質的に円形表面を形成する。この円形表面の中央には、開口６が形成されている。第１側面５に対向して、底部１０は、第１側面５の横断面積と実質的に同じ横断面積のものとされている。好ましくは、使用状態においては、この底部１０は、第１側面５に対して平行なものとされる。
【００４９】
この例においては、座１５は、円形横断面形状のものとされている。これに代えて、座は、正方形形状や、楕円形形状や、多角形形状のものとすることができる。一般に、アプリケータ部材３は、第２パート１４が、座１５と実質的に同じ横断面積を有するように、選択される。例えば、第２パート１４は、円形横断面積のものとすることができる。あるいはこれに代えて、第２パート１４は、正方形横断面のものや、楕円形横断面のものや、多角形横断面のものとすることができる。好ましくは、第２パート１４は、座１５の周縁部によって径方向に圧縮されるものとはされない。
【００５０】
図４に示す例においては、開口６は、円形横断面のものとされている。しかしながら、これに代えて、開口６は、正方形横断面のものや、楕円形横断面のものや、任意の多角形横断面のものとすることができる。一般に、アプリケータ部材３は、第１パート４が、開口６の横断面形状に適合した横断面形状を有するように、選択される。これに代えて、第１パート４の横断面形状は、開口６の横断面形状のみに適合するように構成される。
【００５１】
第１パート４の横断面形状および第２パート１４の横断面形状は、互いに独立に選択することができる。実際、デバイス１の動作に悪影響を及ぼすことなく、第１パート４は、円形横断面形状のものとすることができ、かつ、第２パート１４は、正方形横断面形状のものとすることができる。しかしながら、好ましくは、両パートは、図５に示すように、互いに適合したものとして選択される。
【００５２】
図１および図５の例においては、第１パート４は、円形横断面形状のドームを形成している。このドームは、突出度合いの大きなものともまた小さなものともすることができる。これにより、第１側面５がなす平面からの突出度合いを、大きなものともまた小さなものともすることができ、大きな凸状のまたは小さな凸状の塗布表面２を形成することができる。これに代えて、第１パート４は、図６に示すように、円錐形状またはピラミッド形状とすることができる。これにより、塗布表面２の尖鋭度合いを大きなものともまた小さなものともすることができる。さらなる変形例においては、第１パート４は、図７に示すようにシリンダ形状とすることができる。これにより、フラットな塗布表面２を形成することができる。
【００５３】
あるいは、他の変形例においては、図８に示すように、アプリケータ部材３は、円錐台形状、あるいは、先端が欠損したピラミッド形状を形成するような、形状とされている。第１パートが、付加的に、弾性変形材料から形成されている場合には、この場合には、アプリケータ部材３の傾斜壁１８は、第２側面１２の開口６の周縁部によって、押圧することができる。これにより、塗布表面２が初期的にフラットな形状とされているにしても、塗布表面２をドーム形状とすることができる。
【００５４】
例えば、アプリケータ部材３は、特に熱可塑性材料やセラミック材料といったような凝集材料や、あるいは、特に閉塞気泡型や半開放気泡型や開放気泡型の発泡体や弾性体といったような弾性圧縮可能な材料や、あるいは、これら材料からなる１つまたは複数の重ね合わせ層からなる構成、から形成することができる。発泡体は、例えば、ポリエチレンや、ポリプロピレンや、ナイロンＥＶＡ（エチレンビニルアセテート）や、ポリビニルアセテートや、ポリエステルや、ポリウレタン、といったようなポリマーから得ることができる。アプリケータ部材は、また、ファイバや、綿や、フェルト、から形成することができる。塗布表面２は、また、特にファイバやレーヨンや綿やビスコースやナイロンを使用したようなフロック材料から形成することができる。これにより、塗布表面の触感を、よりソフトなものとすることができる。より詳細には、アプリケータ部材３は、少なくとも塗布表面２のところにおいては、多孔性とされる。これにより、所定量の製品を採取することができる。
【００５５】
第１パート４が、フレキシブルな圧縮可能材料から形成されている場合には、第１パート４の高さは、第１パート４が長手方向押圧限界にまで達したときでさえ、塗布表面２が第１側面５によって形成された高さ位置よりも上にあるように、選択されている。特に、第１パート４は、表面が押圧されたときに、そのような高さ位置とすることができる。実際、押圧によって、アプリケータ部材３に対して圧力が印加される。この構成により、第１パート４は、塗布時に座１５にまでは押し込まれることが、防止される。したがって、使用者は、皮膚と、開口６回りの第１部材７のエッジと、の間における無用の摩擦によって傷を負うというリスクを受けることがない。
【００５６】
図１７に示すような特別の実施形態においては、アプリケータ部材３は、シリンダ構造を有している。これにより、圧力が印加されていないときには、第１パート４は、第２パート１４の横断面形状と同じ横断面形状を有している。特に、アプリケータ部材３は、円形横断面形状のものとされ、第１パート４の直径７０は、第２パート１４の直径７１と実質的に同じである。
【００５７】
この場合、第１パート４は、弾性変形可能な材料から形成され、少なくとも、径方向に圧縮可能（あるいは、径方向に押圧可能）な材料から形成される。これにより、開口６を通過する際に、押圧することができる。特に、第１パート４は、第２パート１４が第２側面１２に対して当接した際に開口６の高さ位置において径方向に圧縮されるような少なくとも１つの横断面形状部分を有している。開口６を超えたところにおいては、第１側面５上において、第１パート４は、押圧力が解除され、これにより、開口６の横断面形状よりもわずかに大きな横断面形状を示すようになる。これにより、製品の漏洩が防止される。
【００５８】
特に、第１パート４は、２０〜４０ｋｇ／ｍ３という範囲の、好ましくは３２ｋｇ／ｍ３という程度の、密度を有した、開放気泡型のポリウレタンから形成される。加えて、第２パート１４は、ポリエチレンからなる剛直シートという形態で、好ましくは厚さが制限されたシートという形態で、形成されている。第１パート４は、例えば、第２パート１４に対して接着されている。好ましくは、２層構造は、１枚のポリエチレンシートに対して、ポリウレタン製発泡体層を、液体ポリウレタン系接着剤を使用して接着し、その後、シリンダ状ダイカッタを使用してこの２層構造をカットすることによって、例えばアプリケータ部材３といったようなアプリケータ部材を、切り出す。
【００５９】
特に図９に示すような第１実施形態においては、第２部材９が、把持手段１９を有するものとして延出されている。
【００６０】
図９の実施形態においては、把持手段１９は、底部１０から延出されたハンドルを形成する。把持手段１９は、例えば、第２部材９の延長物としてカットされる。この場合、軸Ｙは、例えば、このハンドル１９の軸に対して平行なものとされる。特に、図９においては、第１部材７は、従来的なヒンジを使用することによって、第２部材９に対して回転する。従来的ヒンジは、取付ピンを備えたものとされ、この取付ピン回りにおいて、回転操作が行われ、この取付ピンが、第１部材７に形成された凹所と第２部材９に形成された凹所とを通して挿入される。特に、この実施形態においては、座１５は、直方体であって、同様に直方体形状とされた第２パート１４を受領することができ、開口６は、矩形であって、同様に直方体形状とされた第１パート４を開口６を通して突出させることができる。この実施形態においては、可逆的なロック手段１１が、スタッドの形態として設けられている。このスタッドは、上面１３上に形成された対応開口内へと挿入され得るように、構成されている。
【００６１】
本発明の他の特別の見地においては、特に図９の実施形態において示すように、第１パート４は、塗布表面２のところに設けられたスロット７２を備えている。このスロット７２は、好ましくは、一房の髪を受領し得るよう構成されている。よって、皮膚に対して塗布し得るのと同様に、本発明によるデバイスは、髪に対しても塗布を行うことができる。好ましくは、一房の髪がスロット内に配置された後には、デバイスを、髪の基端から先端に向けて移動させる。これにより、例えば毛染め剤といったような製品を、塗布することができる。
【００６２】
変形例においては、図１０の実施形態に示すように、座１５と、第２パート１４と、第１パート４と、開口６とは、楕円形横断面形状のものとされる。より詳細には、この実施形態においては、可逆的ロック手段１１は、タブ１１ａと、対応突起１１ｂと、から構成され、タブ１１ａは、第２側面１２がなすアウトラインに対して直交的に突出しているとともに、スナップ作用によって、第２部材９の外側アウトライン上に設けられた対応突起１１ｂに対して係合することができる。
【００６３】
使用者は、例えば、デバイス１を使用することによって、例えばメークアップのために、アプリケータ部材を介して供給された製品を平滑化するすなわち広げる。アプリケータ部材は、製品を収容している容器２２上に取り付けられる。この目的のために、デバイス１は、特に図１〜図４および図１０に示すように、容器上への取付を容易とするための手段を備えている。特に、第２部材９は、少なくとも１つの開口３６を備えている。この例においては、複数の開口３６を備えている。これら開口は、底部１０を貫通しており、座１５内に配置された第２パート１４を経由して第１パート４に対して製品を供給することを可能とする。取付スカート３８が、ボトム１０から延出されており、特に、製品を収容している容器２２の例えばネック２３上に保持されることができる。これにより、容器の内容物に対して流体連通することができる。
【００６４】
様々な効果を得ようとして、１回の適用時にあるいは２つの適用時の間に使用者がアプリケータを変更したいと思った場合には、好ましくは、デバイス１には、例えばアプリケータ部材３といったようなアプリケータ部材が、一連をなす複数のものとして、設けられる。この場合、デバイス１に設けられた様々なアプリケータ部材は、様々な形状や様々な表面状態や様々な硬さを有した様々な塗布表面を提供することができる。
【００６５】
図１１に示す他の実施形態においては、第１部材７は、第１側面５から突出する周縁スカート２０を備えている。この周縁スカート２０は、製品を収容している容器２２に対する取付のための固定手段２１を備えている。周縁スカート２０は、第１側面５に対して垂直に起立している。この場合、デバイス１は、容器２２のネック２３の外周面上への螺着によって、取り付けることができる。好ましくは、容器２２は、座２５を形成する横断壁２４を備えている。座２５は、デバイス１をネック２３上に取り付けた際には、アプリケータ部材３の突出した第１パート４を受領し得るよう構成されている。この横断壁２４は、容器内部と座２５との間にわたって貫通している少なくとも１つの連通開口２６を備えている。よって、塗布表面２は、製品に対して流体連通状態とすることができる。例えば、ネック２３上への取付状態とされたデバイス１においては、アプリケータ部材３は、座２５内において弾性的に圧縮される。デバイス１は、デバイス１をネック２３から取り外した状態においては、周縁スカート２０によって規定されたアウトラインを超えて塗布表面２が突出するように、構成されている。
【００６６】
これに代えて、図１２に示すように、例えばデバイス１といったようなデバイスは、容器２２のネック２３上に取り付け得るよう構成されたアダプタ２８に対して、フィルムヒンジ２７を介して取り付けられている。このデバイス１は、容器２２に対して流体連通したアダプタ２８内の開口２９を閉塞するような閉塞位置と、アダプタ２８の外周縁３０上に保持されこれにより塗布表面２が周縁部３０を超えて突出して所望表面に対して接触可能とされた塗布位置と、の間にわたって、フィルムヒンジ２７回りに回転し得るよう構成されている。
【００６７】
閉塞位置においては、アダプタ２８は、容器の内容物に対して流体連通している。この場合、塗布表面２は、容器２２内に収容された製品に対して接触した状態で配置することができる。例えば、フィルムヒンジ２７は、第２部材９とアプリケータｄ２８との間に形成されており、第１部材７の第１側面５は、閉塞位置にロックするための手段（図示せず）を備えている。一方、塗布位置を維持し得るよう、第２部材９の底部１０は、可逆的取付手段を備えている。この可逆的取付手段は、例えば、アダプタの外周縁３０上の対応突起３２に対して可逆的にスナップ係合し得るよう構成されたスタッド３１を備えている。
【００６８】
好ましい実施形態においては、図１３，１４，１５に示すように、底部１０には、少なくとも１つの好ましくは複数の貫通穴３６が形成されている。貫通穴３６は、第２部材９が取り付けられているネック２３上において、例えば容器２２といったような容器に対して、流体連通状態に配置することができる。底部１０を超えては、第２部材９は、軸Ｘ（あるいは、中心軸Ｘ）を有した第１環状シールリップ３３を備えている。この第１環状リップ３３は、ネック２３の内表面３４上へと密封的に適合し得るよう構成されている。特に、図１３は、軸Ｘに対して平行な断面を示している。
【００６９】
この第１環状リップ３３は、上面１３内に形成されたドーム３５を介してさらに第２部材９を介して製品を伝達するための通路を形成している。よって、上面１３は、凸状形状を形成している。ドーム３５は、塗布表面２に対して圧力Ｐが印加された際に、座１５内へとアプリケータ部材３が押圧されることを制限するように機能する。そのような圧力の印加時においてさえ、また、アプリケータ部材が圧縮限界となったときでさえ、塗布表面は、開口６の第１側面５を超えた高さ位置に保持される。
【００７０】
通路は、ドーム３５内の中央搬送開口３６を介して座１５内へと延出している。これにより、容器２２と座１５との間にわたっての流体連通を可能とすることができる。ドーム３５は、それでもなお、長尺形状の複数のグルーブ３７を備えている。これらグルーブ３７は、中央搬送開口の周囲において星形配置パターンでもって、配置されている。これにより、上面１３の構造を軽量化することができる。
【００７１】
第２部材９は、さらに、底部１０から延出された取付スカート３８を備えている。この取付スカート３８は、例えば、内表面３９上にネジ山を有している。このネジ山は、ネック２３の外表面４０上に形成された対応ネジ山に対して螺着し得るように、構成されている。
【００７２】
そのような座１５内に取り付けられ得るよう構成されたアプリケータ部材３は、例えば、塗布表面２の反対側において、第２パート１４の高さ位置のところに、凹状表面４１を備えている。これにより、ドーム３５に適合した形状を形成することができる。これに代えて、第２パート１４は、使用状態において、ドーム３５がなす形状の上面１３と第１部材７の第２側面１２との間において圧縮することができる。
【００７３】
特に、第２パート１４は、凸状の円錐台形状をなす第１パート４の周縁回りにおいて、環状カラーを形成している。好ましくは、第２側面１２の高さ位置においては、開口６を囲むグルーブ４２は、この第１パート１４の上面４３に対して係合し得るよう構成されている。これにより、２つの部材７，９の間におけるアプリケータ部材３の保持を改良し得るとともに、軸Ｘに沿ってのアプリケータ部材３のいかなる移動をも防止することができる。
【００７４】
第２側面１２を超えて延出した状態で、第１部材７は、環状リップ４４を備えている。環状リップ４４には、環状ビード４５が設けられている。環状ビード４５は、可能であれば不連続なものであって、同じく環状のものとされかつ上面１３を超えて突出した環状周縁スカート４７の内表面上に設けられたグルーブ４６内へと、スナップ嵌合し得るよう構成されている。グルーブ４６は、中央搬送開口３６が延在しているところにおいては、ドーム３５を囲んでいる。
【００７５】
この好ましい実施形態においては、両部材７，９は、また、好ましくは、熱可塑性材料の射出成型または成形によって、一体部材として形成されている。この場合、フィルムヒンジは、ヒンジ８を形成するように、形成される。第１部材７の回転軸をなす軸Ｙは、ネック２３の長手方向中心軸Ｘに対して直交しているとともに、また好ましくは、開口６が第１側面５のところに位置している平面に対して平行である。
【００７６】
デバイス１と容器２２とは、容器２２内に収容された製品をパッケージングするとともに塗布するためのデバイスを形成する。製品は、流体であって、中央搬送開口３６を通って流通することができる。例えば、製品は、マニキュア液リムーバとされる。よって、両方の手の他の爪の上にマニキュア液をこぼすことなく、特に、リムーバが供給されているアプリケータ部材を把持している手の上にマニキュア液をこぼすことなく、片手でもって、爪の上のマニキュア液を容易に除去することができる。
【００７７】
この好ましい実施形態の変形例においては、図１６に示すように、特に欧州特許出願公開第１，３８４，４１６号明細書に開示されているように、本発明によるデバイスは、製品を収容し得るよう構成されかつ長手方向軸Ｘを有した容器２２と、第２部材９を貫通して形成された製品用開口３６を介して容器内の製品と流体連通可能とされたアプリケータ部材３と、を具備し、このデバイスは、第２部材９と容器２２のネック２３との間の中間パート５０に対して取り付けるという特別の特徴点を有している。
【００７８】
この中間パート５０は、例えばスナップ取付といったような手法によって、ネック２３の外表面上に取り付けられ、第２部材９は、例えば螺着といったような手法によって、中間パート５０の外表面上に、保持される。中間パート５０は、スパイク５１を備えている。スパイク５１は、中間パート５０に対しての第２部材９の位置に応じて、第２部材９を貫通して形成された開口３６の開閉を制御する。第１部材７と一体的に第２部材９を回転させることにより、および、アプリケータ部材３を回転させることにより、開口３６が閉塞された第１状態から、開口３６が開放された第２状態へと、容易に移行させることができる。
【００７９】
使用者は、アプリケータ部材を使用した製品の連続的な供給を行うかどうかを、選択することができる。さらに、スパイク５１は、第２部材９に対して印加された、中間パート５０に対する回転度合いに応じて、流速を変化させることができる。
【００８０】
加えて、本発明によるデバイスは、閉塞キャップ６０を備えている。この閉塞キャップ６０は、例えば螺着といったような手法によって、デバイス１に対してあるいは場合によっては中間パート５０に対して、取り付け得るよう構成されている。これにより、アプリケータ部材３に関しての閉塞された密封的な空間を形成することができ、容器２２を閉塞することができる。
【００８１】
好ましい実施形態の場合と同様に、特に図１３〜図１５に示すように、取付スカート３８の外表面には、図１３に示すように、例えばキャップ６０といったようなキャップに対して係合し得るネジ山が形成されている。このキャップ６０には、さらに、隔室を設けることができる。この隔室内には、例えばアプリケータ部材３といったようなアプリケータ部材の少なくとも１つの予備を収容することができる。好ましくは、この隔室に対するアクセスは、デバイス１からキャップ６０を取り外すことなく、行うことができる。
【００８２】
好ましい実施形態に関する他の変形例においては、図１８に示すように、アプリケータ部材３は、図１７に示すタイプのものとされる。この他の変形例の特別の特徴点は、第２パート１４が、座１５内において若干の遊び７３を許容されている点である。これにより、第２パート１４が製品に対して不浸透性のものであっても、第２パート１４の周縁部に沿っての製品の流通を容易なものとすることができる。同時に、第２パート１４が、中央搬送開口３６を閉塞してしまうことを防止し得るよう、チャネル３５は、突起３７を介して座１５内へと連通した側部出口７４を有することができる。側部出口７４は、中央搬送開口に対して例えば９０°という向きで開口している。
【００８３】
本明細書においては、『１つのものを有する』という記載は、特に断らない限り、『少なくとも１つのものを有する』のと道義的であるものと見なされる。
【図面の簡単な説明】
【００８４】
【図１】本発明によるデバイスを第１状態において示す斜視図である。
【図２】この第１状態において、本発明によるデバイスを示す長手方向断面図である。
【図３】本発明によるデバイスを第２状態において示す長手方向断面図である。
【図４】この第２状態において、本発明によるデバイスを示す平面図である。
【図５】本発明によるデバイスに対して配置し得るよう構成されたアプリケータ部材を示す斜視図である。
【図６】本発明によるデバイスに対して配置し得るよう構成されたアプリケータ部材の代替可能な実施形態を示す長手方向断面図である。
【図７】本発明によるデバイスに対して配置し得るよう構成されたアプリケータ部材の代替可能な実施形態を示す長手方向断面図である。
【図８】本発明によるデバイスに対して配置し得るよう構成されたアプリケータ部材の代替可能な実施形態を示す長手方向断面図である。
【図９】本発明によるデバイスを分解して示す斜視図であって、把持手段を備えている。
【図１０】本発明によるデバイスを分解して示す斜視図であって、把持手段を備えている。
【図１１】本発明によるデバイスを形成し得るよう、容器上に取り付けられた本発明によるデバイスの代替可能な実施形態を示す長手方向断面図である。
【図１２】本発明によるデバイスを形成し得るよう、容器上に取り付けられた本発明によるデバイスの代替可能な実施形態を示す長手方向断面図である。
【図１３】本発明によるデバイスの好ましい実施形態を示す長手方向分解断面図である。
【図１４】図１３に示す本発明によるデバイスを示す長手方向断面図であって、デバイスが第２状態で示されている。
【図１５】図１４のデバイスを示す平面図である。
【図１６】本発明によるデバイスの代替可能な実施形態を示す長手方向断面図である。
【図１７】本発明によるデバイス内に配置し得るよう構成されたアプリケータ部材の他の変形例を示す斜視図である。
【図１８】図１７に示すタイプのアプリケータ部材が設けられた本発明によるデバイスを示す長手方向断面図である。
【符号の説明】
【００８５】
１    アプリケータデバイス
２    塗布表面
３    アプリケータ部材
４    第１パート
５    第１側面
６    開口
７    第１部材
８    ヒンジ
９    第２部材
１１    可逆的ロック手段
１１ａ  タブ
１１ｂ  対応開口
１２    第２側面
１４    第２パート
１５    座（凹所）
１６    スプリング作用ヒンジ
１７    把持手段
２０    周縁スカート
２１    固定手段
２２    容器
３６    開口
３８    取付スカート
３９    内表面
４５    環状ビード
４６    グルーブ４６
６０    キャップ
Ｙ    回転軸
【図１】
2006075607.tif 000003
【図２】
2006075607.tif 000004
【図３】
2006075607.tif 000005
【図４】
2006075607.tif 000006
【図５】
2006075607.tif 000007
【図６】
2006075607.tif 000008
【図７】
2006075607.tif 000009
【図８】
2006075607.tif 000010
【図９】
2006075607.tif 000011
【図１０】
2006075607.tif 000012
【図１１】
2006075607.tif 000013
【図１２】
2006075607.tif 000014
【図１３】
2006075607.tif 000015
【図１４】
2006075607.tif 000016
【図１５】
2006075607.tif 000017
【図１６】
2006075607.tif 000018
【図１７】
2006075607.tif 000019
【図１８】
2006075607.tif 000020